(57)【要約】【課題】操作前後のいずれの場合であっても視認性に優れ、誤操作しにくい押しボタンスイッチを提供する。【解決手段】中央部を前記ＬＥＤ２１で部分的に照光された押しボタン７３を押し下げることにより、プランジャ５０を介して回動リンク機構部３０を駆動し、プリント基板２０の接点を開閉することにより、前記ＬＥＤ２１およびＬＥＤ６１のうち、少なくとも前記ＬＥＤ６１を点灯して前記押しボタン７３全面を照光する。【選択図】図２
2016004768.tif 000002
【特許請求の範囲】
【請求項１】
ベースと、
無操作時に点灯している少なくとも１個の第１発光素子を表面実装し、かつ、前記ベースの底面に配置したプリント基板と、
一対のリンク部材の両端を回動可能に連結し、かつ、前記ベース内に収納した回動リンク機構部と、
前記第１発光素子の光を透過させる開口部を有し、かつ、前記リンク部材に架け渡した可動バネ部材と、
前記第１発光素子の光が通過する開口部を有し、かつ、前記回動リンク機構部を押し下げ可能に配置したプランジャと、
前記プランジャに積み重ねた導光板と、
前記導光板の側端面に隣接するように配置した少なくも１個の第２発光素子と、
前記プランジャを押し下げる押しボタンと、からなる押しボタンスイッチであって、
前記第１発光素子で部分的に照光された前記押しボタンを押し下げることにより、前記プランジャを介して前記回動リンク機構部を駆動し、前記プリント基板の接点を開閉することにより、前記第１発光素子および前記第２発光素子のうち、少なくとも第２発光素子が点灯して前記押しボタン全面を照光することを特徴とする押しボタンスイッチ。
【請求項２】
前記可動バネ部材の両端に設けた係合爪部を、前記回動リンク機構部の一対のリンク部材にそれぞれ係合して架け渡したことを特徴とする請求項１に記載の押しボタンスイッチ。
【請求項３】
前記可動バネ部材の一端に設けた係合爪部を、一対の前記リンク部材の一方に係合するとともに、前記可動バネ部材の他端を、コイルバネを介して一対の前記リンク部材の他方に連結して架け渡したことを特徴とする請求項１に記載の押しボタンスイッチ。
【請求項４】
前記可動バネ部材から前記プリント基板に接離可能な一対の可動接触片を切り出したことを特徴とする請求項１ないし３のいずれか１項に記載の押しボタンスイッチ。
【請求項５】
前記可動バネ部材の開口部の周囲に、前記プリント基板に接離可能な可動接点を設けたことを特徴とする請求項１ないし３のいずれか１項に記載の押しボタンスイッチ。
【請求項６】
前記プリント基板に固定接点部材と可動接点部材とを上下に配置するとともに、前記回動リンク機構部のリンク部材で前記可動接点部材を押し下げ可能に配置し、前記回動リンク機構部のリンク部材で前記可動接点部材を押し下げることにより、前記可動接点部材を前記固定接点部材に接離させることを特徴とする請求項１ないし３のいずれか１項に記載の押しボタンスイッチ。
【発明の詳細な説明】
【技術分野】
【０００１】
押しボタンスイッチ、例えば、エレベータの昇降スイッチに用いられる自己照光型の押しボタンスイッチに関する。
【背景技術】
【０００２】
従来、押しボタンスイッチとしては、例えば、特許文献１の図９に示すように、内部に一対の揺動部材１２５を備え、押しボタン部１１が押されると、揺動部材１２５が揺動軸４１を中心に回動する。一方の揺動部材１２５から他方の揺動部材１２５に亘って板ばね１２４が設けられ、揺動部材１２５が回動すると、板ばね１２４の中央部２７が上昇し、スイッチ機構２６が操作されるものがある。
そして、前記押しボタンスイッチでは、基板１２２に複数のＬＥＤ２５が配置することが開示されている。
【先行技術文献】
【特許文献】
【０００３】
【特許文献１】特開２０１２−１９５０７２号公報
【発明の概要】
【発明が解決しようとする課題】
【０００４】
しかしながら、前記押しボタンスイッチでは、押しボタン部１１の全面が照光することが開示されているにすぎず、操作前においては視認性が低く、誤操作しやすいという問題点がある。
本発明は、前記問題点に鑑み、操作前後のいずれの場合であっても視認性に優れ、誤操作しにくい押しボタンスイッチを提供することを課題とする。
【課題を解決するための手段】
【０００５】
本発明に係る押しボタンスイッチは、前記課題を解決すべく、ベースと、無操作時に点灯している少なくとも１個の第１発光素子を表面実装し、かつ、前記ベースの底面に配置したプリント基板と、一対のリンク部材の両端を回動可能に連結し、かつ、前記ベース内に収納した回動リンク機構部と、前記第１発光素子の光を透過させる開口部を有し、かつ、前記リンク部材に架け渡した可動バネ部材と、前記第１発光素子の光が通過する開口部を有し、かつ、前記回動リンク機構部を押し下げ可能に配置したプランジャと、前記プランジャに積み重ねた導光板と、前記導光板の側端面に隣接するように配置した少なくも１個の第２発光素子と、前記プランジャを押し下げる押しボタンと、からなる押しボタンスイッチであって、前記第１発光素子で部分的に照光された前記押しボタンを押し下げることにより、前記プランジャを介して前記回動リンク機構部を駆動し、前記プリント基板の接点を開閉することにより、前記第１発光素子および前記第２発光素子のうち、少なくとも第２発光素子が点灯して前記押しボタン全面を照光する構成としてある。
【発明の効果】
【０００６】
本発明によれば、押しボタンを押し下げる前は、押しボタンの一部を第１発光素子で照光しているが、前記押しボタンを押し下げた後は、第１発光素子および第２発光素子のうち、少なくとも第２発光素子が点灯することにより、前記押しボタン全面を照光する押しボタンスイッチが得られる。
【０００７】
本発明の実施形態としては、前記可動バネ部材の両端に設けた係合爪部を、前記回動リンク機構部の一対のリンク部材にそれぞれ係合して架け渡しておいてもよい。
本実施形態によれば、可動バネ部材が前記リンク部材を内側に付勢し、自己復帰する押しボタンスイッチが得られる。
【０００８】
本発明の他の実施形態としては、前記可動バネ部材の一端に設けた係合爪部を、一対の前記リンク部材の一方に係合するとともに、前記可動バネ部材の他端を、コイルバネを介して一対の前記リンク部材の他方に連結して架け渡しておいてもよい。
本実施形態によれば、コイルバネのバネ力で前記リンク部材を内側に付勢し、自己復帰する押しボタンスイッチが得られる。
【０００９】
本発明の別の実施形態としては、前記可動バネ部材から前記プリント基板に接離可能な一対の可動接触片を切り出しておいてもよい。
本実施形態によれば、押しボタンおよびプランジャで前記回動リンク機構部を押し下げ、前記可動バネ部材を引き下げることにより、一対の前記可動接触片がプリント基板の接点を開閉する。このため、部品点数が少なく、簡単な構造の押しボタンスイッチが得られる。
【００１０】
本発明の異なる実施形態としては、前記可動バネ部材の開口部の周囲に、前記プリント基板に接離可能な可動接点を設けておいてもよい。
本実施形態によれば、押しボタンおよびプランジャで前記回動リンク機構部を押し下げ、前記可動バネ部材を引き下げることにより、前記可動接点がプリント基板の接点を開閉する。このため、部品点数が少なく、より一層簡単な構造の押しボタンスイッチが得られる。
【００１１】
本発明の他の実施形態としては、前記プリント基板に固定接点部材と可動接点部材とを上下に配置するとともに、前記回動リンク機構部のリンク部材で前記可動接点部材を押し下げ可能に配置し、前記回動リンク機構部のリンク部材で前記可動接点部材を押し下げることにより、前記可動接点部材を前記固定接点部材に接離させてもよい。
本実施形態によれば、押しボタンおよびプランジャを介して回動リンク機構部のリンク部材を押し下げることにより、前記可動接点部材が前記固定接点部材に接離して接点を開閉する。このため、多様な接点開閉手段が得られ、設計の自由度が広がるという効果がある。
【図面の簡単な説明】
【００１２】
【図１】図Ａ，Ｂおよび図Ｃは本発明に係る押しボタンスイッチの第１実施形態に係る動作前の異なる視点から視た斜視図および動作後の斜視図である。
【図２】図１Ａで図示した押しボタンスイッチの分解斜視図である。
【図３】図１Ｂで図示した押しボタンスイッチの分解斜視図である。
【図４】図Ａ，Ｂはベースに内部構成部品を組み込んだ状態を示す斜視図および可動バネ部材の斜視図である。
【図５】図Ａ，Ｂは図２で図示したプランジャの異なる角度から視た斜視図である。
【図６】図Ａ，Ｂは図２で図示したプランジャに内部構成部品を組み付けた状態を示す斜視図および断面図である。
【図７】図Ａ，Ｂおよび図Ｃは図１に示した押しボタンスイッチの動作前を示す断面図および動作後を示す断面図である。
【図８】図７で示した押しボタンスイッチの動作原理を説明するための概略図である。
【図９】本発明に係る押しボタンスイッチの第２実施形態を示す部分分解斜視図である。
【図１０】図Ａ，Ｂは第２実施形態に係るベースに内部構成部品を組み込んだ状態を示す斜視図および可動バネ部材の斜視図である。
【図１１】図Ａ，Ｂは第２実施形態に係る押しボタンスイッチの動作前後を示す断面図である。
【図１２】本発明に係る押しボタンスイッチの第３実施形態を示す分解斜視図である。
【図１３】本発明に係る押しボタンスイッチの第３実施形態を異なる角度から視た分解斜視図である。
【図１４】図Ａ，Ｂは図１２で示したベースに内部構成部品を組み付けた状態を示す斜視図および部分分解斜視図である。
【図１５】図Ａ，Ｂは図１２で示した押しボタンスイッチの動作前後を示す断面図である。
【図１６】図Ａ，Ｂは本発明に係る押しボタンスイッチの第４実施形態を示す異なる角度から視た部分分解斜視図である。
【図１７】図Ａ，Ｂは図１６で示した実施形態に係る横断面図および縦断面図である。
【図１８】図Ａ，Ｂは実施例１を説明するための概略断面図および計算結果を図示したグラフ図であり、図Ｃ，Ｄは実施例２を説明するための概略断面図および計算結果に基づく輝度分布を図示した輝度分布図である。
【図１９】図Ａ，Ｂは比較例１を説明するための概略断面図および計算結果を図示したグラフ図であり、図Ｃ，Ｄは比較例２を説明するための概略断面図および計算結果に基づく輝度分布を図示した輝度分布図である。
【発明を実施するための形態】
【００１３】
本発明に係る押しボタンスイッチの実施形態を図１ないし図１５の添付図面に従って説明する。
第１実施形態に係る押しボタンスイッチは、図１ないし図８の添付図面に示すように、プリント基板２０、接続ケーブル２５、回動リンク機構部３０、および、可動バネ部材４０を組み込んだ箱形ベース１０に、プランジャ５０を組付けたものである。前記プランジャ５０には、ＬＥＤを一列に設置した帯状プリント基板６０、導光板７０、拡散シート７１、文字シート７２、および、押しボタン７３を組み付けてある。
【００１４】
前記箱形ベース１０は、図２および図３に示すように、その底面に４本のカシメ突起１１を突設してある。また、前記箱形ベース１０は、対向する内向面に一対の支持部１２，１３をそれぞれ突設するとともに、その両側に係合受け部１４をそれぞれ設けてある一方、残る他の内向面の一つに取付孔１５を設けてある。
【００１５】
プリント基板２０は、前記箱形ベース１０に嵌合可能な平面形状を有し、その表面に固体発光素子であるＬＥＤ２１を設けてあるとともに、その外周縁部に前記箱形ベース１０の取付孔１５に取付けられるコネクタ受け部２２、および、内部配線用接続部２３を設けてある。
なお、前記ＬＥＤ２１は１個に限らず、必要に応じて複数個、配置してもよい。
【００１６】
接続ケーブル２５は、略Ｊ字形状に屈曲可能なケーブルであり、その一端部２６ａを前記プリント基板２０の内部配線用接続部２３に電気接続するとともに、その他端部２６ｂを後述する帯状プリント基板６０の内部配線用接続部６２に電気接続する。
【００１７】
前記回動リンク機構部３０は、略門型状に屈曲した弾性金属線材からなるリンク部材３１，３２の両端部を、連結部材３３，３３にそれぞれ回動可能に連結した構成としてある。
【００１８】
前記可動バネ部材４０は、図４Ｂに示すように、導電性板材から打ち抜いてプレス加工した平面帯状材であり、その中央に略４角形の開口部４１を有するとともに、前記開口部４１を中心として対向するように一対の可動接触片４２，４３を切り出してある。さらに、前記可動バネ部材４０は、その両端部を同一方向に曲げ起こして係合爪部４４，４５を形成してある。
【００１９】
プランジャ５０は、図５に示すように、前記箱形ベース１０に嵌合可能な平面形状を有し、その中央に方形の開口部５１を設けてあるとともに、前記開口部５１に通光規制部５２を設けてある。前記通光規制部５２は、その中心に配置した遮蔽部５３ａと、前記遮蔽部５３ａを中心として複数の相似形の方形枠状のリブ５３ｂと、前記遮蔽部５３ａを中心として十字方向に延在したリブ５３ｃと、で形成してある。
【００２０】
そして、前記プランジャ５０は、図５Ａに示すように、光を反射しやすい白色の外向面のうち、その内周隅部に沿って環状段部５４を設けてある。そして、前記環状段部５４は、その対向する辺の隅部に、後述する押しボタン７３を係止する一対の係止突起５５をそれぞれ突設してある。
さらに、前記プランジャ５０は、図５Ｂに示すように、その内向面のうち、前記通光規制部５２を間にして対向する位置に一対の位置規制突起５６ａ，５６ｂを突設してあるとともに、一対の係合爪部５７ａ，５７ｂを突設してある。ついで、前記プランジャ５０は、その内向面の隣り合う隅部に、後述する帯状プリント基板６０をカシメ固定するための一対のカシメ突起５８を突設してある。
ついで、前記プランジャ５０は、対向する外側面に一対の係合爪部５９，５９を突設してある。
【００２１】
なお、前記開口部５１は方形に限らず、円形であってもよく、また、必ずしも中央に設ける必要はなく、中央周辺や隅部に設けてもよい。
また、前記通光規制部５２は四角形を基本パターンとするリブで形成する場合に限らず、同心円を基本パターンとするリブで形成してもよい。さらに、前記遮蔽部５３ａは前記ＬＥＤの中央部の輝度が最も高いことから生じる、いわゆる目玉現象を解消するためのものであるが、必要に応じて設ければよく、必ずしも必要ではない。
【００２２】
帯状プリント基板６０は、その片面に一列に複数個のＬＥＤ６１を配置してあるとともに、残る片面に内部配線用接続部６２を配置してあり、その両端部を前記プランジャ５０のカシメ突起５８を介してカシメ固定される。
【００２３】
導光板７０は、前記プランジャ５０の内向面のうち、前記環状段部５４内に収納可能な平面形状を有している。そして、前記導光板７０は、その側端面を、前記帯状プリント基板６０のＬＥＤ６１と隣接する位置に配置することにより、側方から入力された前記ＬＥＤ６１の光を外向面に向けて放射する。
【００２４】
拡散シート７１は前記導光板７０の表面を被覆する平面形状を有し、前記導光板７０から放出された光を拡散し、より一層の輝度の均一化を図るためのものである。
【００２５】
文字シート７２は、その外周縁部を前記環状段部５４に載置可能な平面形状を有する透明シートからなり、その中央部に光が透過できるように、例えば、数字である「８」だけを残してインクで印刷されている。
【００２６】
押しボタン７３は、その外周縁部に環状リブ７４を形成することにより、前記プランジャ５０の環状段部５４に載置可能な平面形状を有するとともに、その内向面側に浅い凹所７５（図３）を形成してある。また、前記環状リブ７４には、前記プランジャ５０の係止突起５５に係止可能な切り欠き部７６を設けてある。
【００２７】
次に、前記押しボタンスイッチの組立方法について説明する。            
まず、図４Ａに示すように、箱形ベース１０に、接続ケーブル２５の一端部２６ａを接続したプリント基板２０を取り付ける。
一方、リンク部材３１，３２の両端部を連結部材３３，３３にそれぞれ回動可能に連結するとともに、前記リンク部材３１，３２に可動バネ部材４０の係合爪部４４，４５をそれぞれ係合して架け渡す。ついで、前記リンク部材３１，３２を前記箱形ベース１０の支持部１２，１３に係合して位置決めする。このとき、前記可動バネ部材４０の開口部４１からＬＥＤ２１を目視することができる（図４）。
【００２８】
そして、図６Ａに示すように、プランジャ５０のカシメ突起５８を介して帯状プリント基板６０をカシメ固定するとともに、前記帯状プリント基板６０の内部配線用接続部６２に接続ケーブル２５の他端部２６ｂを電気接続する。ついで、前記箱形ベース１０の係合受け部１４にプランジャ５０の係合爪部５９を係合させて一体化する。さらに、前記プランジャ５０に導光板７０、拡散シート７１、文字シート７２を順次積み重ねた後、押しボタン７３の環状リブ７４に設けた切り欠き部７６をプランジャ５０の係止突起５５に係止して一体化する。このとき、図７Ａ，７Ｃに図示するように、ＬＥＤ２１と通光規制部５２の遮蔽部５３ａとが可動バネ部材４０の開口部４１を介して対向している。また、図７に示すように、ＬＥＤ６１の側端面が導光板７０に隣接している。
【００２９】
次に、前記押しボタンスイッチの動作を図７，図８に基づいて説明する。
押しボタン７３が押圧されていない場合には、図示しない外部回路によってＬＥＤ２１が点灯している。このため、前記ＬＥＤ２１から放射された光のうち、輝度が高い光は遮蔽部５３ａで遮られる一方、残る他の放射された光は通光規制部５２を通過して散乱する。そして、導光板７０に入射した光は拡散シート７１を通過して更に散乱して文字シート７２を通過し、文字シート７２に印刷された文字を浮かび上がらせて押しボタン７３を通過する。
また、前記押しボタン７３が押されていない場合には、図８Ａに示すように、可動バネ部材４０の引張力によって回動リンク機構部３０のリンク部材３１，３２は谷折り状態にあり、可動接触片４２，４３はプリント基板２０に接触していない。
【００３０】
そして、前記押しボタン７３を押し下げると、プランジャ５０が押し下げられ、可動バネ部材４０の係合爪部４４，４５とともに、回動リンク機構部３０のリンク部材３１，３２が押し下げられる。このとき、支持部１２，１３を支点としてリンク部材３１，３２が回動し、連結部材３３が持ち上げられる。このため、可動バネ部材４０の可動接触片４２，４３が押し下げられ、プリント基板２０の固定接点（図示せず）に接触して回路を閉成する。このため、外部回路に制御信号が流れ、ＬＥＤ２１に流れる電流が遮断される一方、ＬＥＤ６１に電流が流れて点灯する。前記ＬＥＤ６１から放射された光は導光板７０の側端面から入射し、反射して外向面に放射され、拡散シート７１，文字シート７２を通過して押しボタン７３から放射される。
特に、導光板７０から内向面側に漏れた光はプランジャ５０で外向面に反射して放射されるので、発光効率の良い自己照光型ボタンスイッチが得られる。
【００３１】
ついで、前記操作ボタンの押し下げを解除すると、可動バネ部材４０のバネ力でリンク部材３１，３２が内側に引っ張られ、谷折り状態に復帰する。
【００３２】
図８に示すように、回動リンク機構部３０のリンク部材３１，３２の両端には水平方向に作用する引張力Ｆと、垂直方向の操作力ｆとが作用する。そして、リンク部材３１，３２の組付角度をθとしたとき、前記操作力ｆは引張力Ｆの組付け角度θの垂直方向の分力に相当する。このため、復帰状態の操作力ｆ１は動作状態の操作力ｆ２よりも大きく、かつ、押し込み操作の途中で操作抵抗が急激に減少するので、操作者が指にクリック感を感じる。
【００３３】
第２実施形態は、図９ないし図１１に示すように、前述の第１実施形態とほぼ同様であり、主たる相違点は可動バネ部材４０の形状である。
すなわち、前記可動バネ部材４０は、図１０Ｂに示すように、導電性板材から打ち抜いてプレス加工した平面帯状材であり、その中央に略４角形の開口部４１を有するとともに、前記開口部４１の外周隅部近傍に可動接点４６を突出し加工で形成してある。さらに、前記可動バネ部材４０は、その両端部を同一方向に曲げ起こして係合爪部４４，４５を形成してある。
また、プリント基板２０には、前記可動接点４６が接離可能な固定接点を設けてあることは勿論である。他は前述の第１実施形態とほぼ同様であるので、同一部分に同一番号を付して説明を省略する。
本実施形態によれば、前記可動バネ部材４０から可動接触片を切り出していないので、前記可動バネ部材４０の機械的強度が高く、疲労破壊等が生じにくいので、寿命の長い押しボタンスイッチが得られるという利点がある。
【００３４】
第３実施形態は、図１２ないし図１５に示すように、プリント基板２０、接続ケーブル２５、回動リンク機構部３０、および、可動バネ部材４０を組み込んだ箱形ベース１０に、プランジャ５０を組付けたものである。前記プランジャ５０には、ＬＥＤを一列に設置した帯状プリント基板６０、反射シート６５、導光板７０、拡散シート７１、文字シート７２、押しボタン７３を組み付けてある。
【００３５】
前記プリント基板２０は、図１４Ｂに示すように、断面門型の固定接点部材２７および可動接点部材２８を積み重ねるように実装して接点機構を配置してある。
すなちわ、前記固定接点部材２７は、その片側縁部に固定接点２７ａ，２７ｂ，２７ｃを切り出して並設してある。一方、前記可動接点部材２８は、その片側縁部から可動接触片２９を切り出し、かつ、その中間部に可動接点２９ａ，２９ｂ，２９ｃを突出し加工で形成してある。このため、前記プリント基板２０に前記固定接点部材２７および前記可動接点部材２８を重ね合わせるように実装することにより、前記可動接点部材２８の可動接点２９ａ，２９ｂ，２９ｃが、前記固定接点２７ａ，２７ｂ，２７ｃに接離可能に対向する。
【００３６】
また、可動バネ部材４０は、図１４Ａに示すように、導電性板材から打ち抜いてプレス加工した平面帯状材であり、その中央に略４角形状の開口部４１を有する。そして、前記開口部４１を間にして一方側に操作孔４７を設けてあるとともに、その他方側に設けた収納孔４８にコイルバネ４９を組み込んである。さらに、前記可動バネ部材４０は、その一端部を曲げ起こすことにより、リンク部材３１に係合可能な係合爪部４４を形成してある一方、その他端部をリンク部材３２に当接可能としてある。
【００３７】
プランジャ５０は、前述の実施形態とほぼ同様であり、異なる点は開口部５１に通光規制部を設けていない点である。
【００３８】
反射シート６５は、その表面に光を反射する反射面を有するとともに、前記プランジャ５０の開口部５１に対向する領域に多数の小孔を所望のピッチで設けることにより、通光規制部６６を形成してある。
他は前述の第１実施形態とほぼ同様であるので、同一部分に同一番号を付して説明を省略する。
【００３９】
第３実施形態によれば、固定接点部材２７および可動接点部材２８が３つの接点を有するトリプル接点構造であるので、接触信頼性が高いという利点がある。
【００４０】
次に、第３実施形態に係る押しボタンスイッチの動作を図１５に基づいて説明する。
押しボタン７３が押圧されていない場合には、図示しない外部回路によってＬＥＤ２１が点灯している。このため、前記ＬＥＤ２１から放射された光は反射シート６５の通光規制部６６を通過して散乱する。そして、導光板７０に入射した光は拡散シート７１を通過して更に散乱して文字シート７２を通過し、文字シート７２に印刷された文字を浮かび上がらせて押しボタン７３を通過する。
また、前記押しボタン７３が押されていない場合には、図１５Ａに示すように、可動バネ部材４０に取付けたコイルバネ４９の引張力によって回動リンク機構部３０のリンク部材３１，３２は谷折り状態であり、可動接触片２９の可動接点２９ａ，２９ｂ，２９ｃは固定接点部材２７の固定接点２７ａ，２７ｂ，２７ｃに接触していない。
【００４１】
そして、前記押しボタン７３を押し下げると、プランジャ５０が押し下げられ、コイルバネ４９が引き伸ばされ、支持部１２，１３を支点としてリンク部材３１，３２が回動する。このため、回動リンク機構部３０のリンク部材３１，３２が押し下げられ、連結部材３３が持ち上げられる。この結果、リンク部材３１が可動接点部材２８の可動接触片２９の自由端部を押し下げる。そして、可動接点２９ａ，２９ｂ，２９ｃが固定接点２７ａ，２７ｂ，２７ｃに接触して回路を閉成する。このため、外部回路に制御信号が流れ、ＬＥＤ２１に流れる電流が遮断される一方、ＬＥＤ６１に電流が流れて点灯する。前記ＬＥＤ６１から放射された光は導光板７０の側端面から入射し、反射して外向面に放射され、拡散シート７１，文字シート７２を通過して押しボタン７３から放射される。
特に、導光板７０から内向面側に漏れた光は反射シート６５に反射して外向面側に放射される。このため、発光効率の良い自己照光型押しボタンスイッチが得られる。
【００４２】
ついで、前記押しボタン７３の押し下げを解除すると、可動バネ部材４０のコイルバネ４９のバネ力でリンク部材３１，３２が内側に引っ張られ、谷折り状態に復帰する。
【００４３】
第３実施形態の変形例として、例えば、固定接点部材２７および可動接点部材２８の上下を逆に配置し、リンク部材３１で可動接触片２９の自由端部を押し下げ、接点を開離させることにより、制御回路を切り替えるようにしてもよい。
また、前記反射シート６５の代わりに、ＬＥＤ２１の真上に位置する領域を濃度の濃いインクで印刷するとともに、前記領域からインク濃度に勾配をつけて印刷することにより、光の透過率を均一にする拡散シートを使用してもよい。
【００４４】
第４実施形態に係る押しボタンスイッチは、図１６および図１７に示すように、前述の第１実施形態とほぼ同様であり、主たる相違点はプリント基板２０に２個の発光素子であるＬＥＤ２１，２１を表面実装して並設した点である。そして、プランジャ５０は、その開口部５１に格子状の通光規制部５２を形成するとともに、前記ＬＥＤ２１，２１に対向する位置に２つの遮蔽部５３ａ，５３ａを並設してある（図１７Ｂ）。また、前記遮蔽部５３ａ，５３ａの間には仕切り壁５３ｄが設けられている。前記ＬＥＤ２１，２１の光の相互干渉を防止し、均一な輝度を確保するためである。
なお、第４実施形態の固定接点部材２７，可動接点部材２８、および、可動バネ部材４０は前述の第３実施形態と同様であるので、同一部分には同一番号を付して説明を省略する。
本実施形態によれば、２個のＬＥＤ２１，２１を使用することにより、より広い操作面を有する押しボタンを、均一に照光できる押しボタンスイッチが得られるという利点がある。
【実施例１】
【００４５】
実施形態１に係る押しボタンスイッチについてＬＥＤだけを点灯させた場合（図１６Ａ）の輝度について計算した。計算結果を図１６Ｂに示す。
【００４６】
図１６Ｂから明らかなように、輝度を示す曲線が滑らかであり、中央部が著しく明るくなる、いわゆる目玉現象を生じないことが判った。
【実施例２】
【００４７】
また、図１６Ｃに示すように、導光板の側方に配置したＬＥＤ（図示せず）だけを点灯することにより、輝度の分布を計算した。計算結果を図１６Ｄに示す。
【００４８】
図１６Ｄから明らかなように、小さな四角形に囲まれた領域の輝度と、それ以外の領域の輝度とが近似しており、光の漏れが少ないことが判った。
【００４９】
[比較例１]
前記プランジャに通光規制部を設けず、単に貫通孔を設けた場合（図１７Ａ）について、前述の実施例１と同一の条件下で計算した。計算結果を図１７Ｂに示す。
【００５０】
図１７Ｂから明らかなように、輝度を示す曲線が中央で急激に増大していることから、中央部が著しく明るくなり、いわゆる目玉現象を生じることが判った。
【００５１】
[比較例２]
また、図１７Ｃに示すように、導光板の側方に配置したＬＥＤ（図示せず）だけを点灯することにより、輝度の分布を計算した。計算結果を図１７Ｄに示す。
【００５２】
図１７Ｄから明らかなように、小さな四角形に囲まれた領域の輝度と、それ以外の領域の輝度との差が実施例２よりも大きく、光の漏れが多いことが判った。
【産業上の利用可能性】
【００５３】
前述の実施形態に係る押しボタンスイッチに限らず、他の押しボタンスイッチに適用してもよい。
特に、前述の実施形態においては、第１発光素子と第２発光素子とを同時に点灯させて使用してもよい。
また、第１発光素子は押しボタンの中央部を照光する場合に限らず、中央周辺部および／または隅部を照光するようにしてもよいことは勿論である。
【符号の説明】
【００５４】
１０  箱形ベース
２０  プリント基板
２１  ＬＥＤ
２７  固定接点部材
２８  可動接点部材
３０  回動リンク機構部
３１  リンク部材
３２  リンク部材
３３  連結部材
４０  可動バネ部材
４１  開口部
４２  可動接触片
４３  可動接触片
４４  係合爪部
４５  係合爪部
５０  プランジャ
５１  開口部
５２  通光規制部
５３ａ  遮蔽部
５３ｂ  リブ
５３ａ  リブ
６０  帯状プリント基板
６１  ＬＥＤ
６５  反射シート
６６  通光規制部
７０  導光板
７１  拡散シート
７２  文字シート
７３  押しボタン
【図１】
2016004768.tif 000003
【図２】
2016004768.tif 000004
【図３】
2016004768.tif 000005
【図４】
2016004768.tif 000006
【図５】
2016004768.tif 000007
【図６】
2016004768.tif 000008
【図７】
2016004768.tif 000009
【図８】
2016004768.tif 000010
【図９】
2016004768.tif 000011
【図１０】
2016004768.tif 000012
【図１１】
2016004768.tif 000013
【図１２】
2016004768.tif 000014
【図１３】
2016004768.tif 000015
【図１４】
2016004768.tif 000016
【図１５】
2016004768.tif 000017
【図１６】
2016004768.tif 000018
【図１７】
2016004768.tif 000019
【図１８】
2016004768.tif 000020
【図１９】
2016004768.tif 000021